【手続補正書】
【提出日】平成24年9月21日(2012.9.21)
【手続補正１】
【補正対象書類名】明細書
【補正対象項目名】０２００
【補正方法】変更
【補正の内容】
【０２００】
【表８】
2012503712.tif 000001
本出願では、以下の態様が提供される。
１．  （ｉ）ホイールリムの表面の少なくとも一部に処理組成物を適用することと、（ｉｉ）そのように適用された前記処理組成物を硬化させることと、を含む処理方法であって、前記処理組成物は、有機溶媒中に溶解又は分散した以下のもの：（ａ）ポリシロキサン部分又はフッ素化されている部分を含む少なくとも１種のポリマーであって、前記ポリマーは少なくとも１つの−ＳｉＹ官能基（式中、Ｙは加水分解性基を表す）を有し、前記−ＳｉＹ基は前記ポリマーの末端基及び／又は前記ポリマーの側基に含まれる、ポリマー、並びに、（ｂ）式（Ｉ）：ＱｎＳｉＧ４−ｎ（Ｉ）（式中、Ｑは、所望により置換できる炭化水素基を表し、Ｇは加水分解性基を表し、ｎは０、１又は２である）に対応する少なくとも１種の加水分解性シラン又はその加水分解生成物若しくは縮合体、あるいは、成分（ａ）及び（ｂ）に代わって又はそれらに加えて、（ｃ）（ｉ）前記ポリマーと、（ｉｉ）式（Ｉ）に従う前記加水分解性シラン又は式（Ｉ）に従う前記加水分解性シランの加水分解生成物又は縮合体と、の縮合生成物を含む、方法。
２．  前記ポリマーがポリシロキサン部分を含み、前記部分が５〜２００のＳｉＯ単位の平均数を有する、態様１に記載の方法。
３．  前記組成物がポリシロキサン系界面活性剤を更に含む、態様１又は２に記載の方法。
４．  前記ポリマーが式−（Ｒ）２ＳｉＯ−（式中、Ｒは１〜４個の炭素原子のアルキル基又はアリール基を表す）の繰り返し単位を含むポリシロキサン系ポリマーである、態様１〜３のいずれか一項に記載の方法。
５．  前記ポリマーが、（ｉ）末端基がイソシアネート反応性基を含むポリシロキサンと、（ｉｉ）ジイソシアネートと、（ｉｉｉ）（ａ）少なくとも１つの−ＳｉＹ基（式中、Ｙは態様１〜４のいずれか一項において定義された通りの意味を有する）と（ｂ）イソシアネート反応性基とを有する有機化合物と、の１種以上の反応生成物を含む、態様１〜４のいずれか一項に記載の方法。
６．  前記ポリマーが、２つ以上のメルカプト基を有するポリシロキサンの存在下における、少なくとも１つの−ＳｉＹ基を有するエチレン性不飽和モノマーのフリーラジカル反応の、１種以上の反応生成物を含む、態様１〜４のいずれか一項に記載の方法。
７．  前記ポリマーが、オキシアルキレン単位が１〜４個の炭素原子を有するポリオキシアルキレンの１つ以上の部分を更に含む、態様１〜６のいずれか一項に記載の方法。
８．  前記組成物を適用する前記ホイールリムの前記表面が、有機コーティングを含む、態様１〜７のいずれか一項に記載の方法。
９．  前記組成物が少なくとも１つの−Ｓｉ−Ｇ１官能基（式中、Ｇ１は加水分解性基を表す）を有する化合物を更に含み、前記化合物がポリシロキサン部分又はフッ素化されている部分を含有しない、態様１〜８のいずれか一項に記載の方法。
１０．  メルカプト基及びイソシアネート反応性基を含む連鎖移動剤の存在下での、少なくとも１つの−ＳｉＹ官能基（式中、Ｙは加水分解性基を表す）を有するエチレン性不飽和モノマーのフリーラジカル重合により入手可能である、化合物。
１１．  （ｉ）末端基がイソシアネート反応性基を含むポリシロキサンと、（ｉｉ）ジイソシアネートと、（ｉｉｉ）態様１０に定義された通りの化合物と、の１種以上の反応生成物を含む、化合物。
１２．  末端基の各々においてメルカプト基を有するポリシロキサンの存在下における、少なくとも１つの−ＳｉＹ官能基を有するエチレン性不飽和モノマーのフリーラジカル反応により入手可能である、化合物。
１３．  少なくとも１つがポリマーの側基に含有されるより多くのメルカプト基のうちの２つを有するポリシロキサンであって前記ポリシロキサンが５〜２００のＳｉＯ単位の平均数を有するポリシロキサンの存在下における、少なくとも１つの−ＳｉＹ官能基を有するエチレン性不飽和モノマーのフリーラジカル反応により入手可能な、化合物。
１４．  有機溶媒中に分散又は溶解した以下のもの：（ａ）態様１１、１２又は１３のいずれか一項に定義された通りの少なくとも１種の化合物、並びに、（ｂ）式（Ｉ）：ＱｎＳｉＧ４−ｎ（Ｉ）（式中、Ｑは、所望により置換できる炭化水素基を表し、Ｇは加水分解性基を表し、ｎは０、１又は２である）に対応する少なくとも１種の加水分解性シラン又はその加水分解生成物若しくは縮合体、あるいは、成分（ａ）及び（ｂ）に代わって又はそれらに加えて、（ｃ）（ｉ）前記化合物と、（ｉｉ）式（Ｉ）に従う前記加水分解性シラン又は式（Ｉ）に従う前記加水分解性シランの加水分解生成物若しくは縮合体と、の縮合生成物を含む、コーティング組成物。
１５．  有機溶媒中に分散又は溶解した以下のもの：（ａ）ポリシロキサン部分を含み、複数の−ＳｉＹ官能基（式中、Ｙは加水分解性基を表す）を有する少なくとも１種のポリマーであって、前記−ＳｉＹ基は前記ポリマーの末端基及び／又は側基に含まれ、Ｓｉ原子に結合した加水分解性基Ｙの量は平均してポリマー当たり６超である、ポリマー、並びに、（ｂ）式（Ｉ）：ＱｎＳｉＧ４−ｎ（Ｉ）（式中、Ｑは、所望により置換できる炭化水素基を表し、Ｇは加水分解性基を表し、ｎは０、１又は２である）に対応する少なくとも１種の加水分解性シラン又はその加水分解生成物若しくは縮合体、あるいは、成分（ａ）及び（ｂ）に代わって又はそれらに加えて、（ｃ）（ｉ）前記ポリマーと、（ｉｉ）式（Ｉ）に従う前記加水分解性シラン又は式（Ｉ）に従う前記加水分解性シランの加水分解生成物若しくは縮合体と、の縮合生成物を含む、コーティング組成物。
【手続補正２】
【補正対象書類名】特許請求の範囲
【補正対象項目名】全文
【補正方法】変更
【補正の内容】
【特許請求の範囲】
【請求項１】
（ｉ）ホイールリムの表面の少なくとも一部に処理組成物を適用することと、（ｉｉ）そのように適用された前記処理組成物を硬化させることと、を含む処理方法であって、前記処理組成物は、有機溶媒中に溶解又は分散した以下のもの：
（ａ）ポリシロキサン部分又はフッ素化されている部分を含む少なくとも１種のポリマーであって、前記ポリマーは少なくとも１つの−ＳｉＹ官能基（式中、Ｙは加水分解性基を表す）を有し、前記−ＳｉＹ基は前記ポリマーの末端基及び／又は前記ポリマーの側基に含まれる、ポリマー、並びに、
（ｂ）式（Ｉ）：
ＱｎＳｉＧ４−ｎ  （Ｉ）
（式中、Ｑは、所望により置換できる炭化水素基を表し、Ｇは加水分解性基を表し、ｎは０、１又は２である）に対応する少なくとも１種の加水分解性シラン又はその加水分解生成物若しくは縮合体、
あるいは、成分（ａ）及び（ｂ）に代わって又はそれらに加えて、
（ｃ）（ｉ）前記ポリマーと、（ｉｉ）式（Ｉ）に従う前記加水分解性シラン又は式（Ｉ）に従う前記加水分解性シランの加水分解生成物又は縮合体と、の縮合生成物
を含む、方法。
【請求項２】
メルカプト基及びイソシアネート反応性基を含む連鎖移動剤の存在下での、少なくとも１つの−ＳｉＹ官能基（式中、Ｙは加水分解性基を表す）を有するエチレン性不飽和モノマーのフリーラジカル重合により入手可能である、化合物。
【請求項３】
末端基の各々においてメルカプト基を有するポリシロキサンの存在下における、少なくとも１つの−ＳｉＹ官能基を有するエチレン性不飽和モノマーのフリーラジカル反応により入手可能である、化合物。
【請求項４】
少なくとも１つがポリマーの側基に含有されるより多くのメルカプト基のうちの２つを有するポリシロキサンであって前記ポリシロキサンが５〜２００のＳｉＯ単位の平均数を有するポリシロキサンの存在下における、少なくとも１つの−ＳｉＹ官能基を有するエチレン性不飽和モノマーのフリーラジカル反応により入手可能な、化合物。
【請求項５】
有機溶媒中に分散又は溶解した以下のもの：
（ａ）ポリシロキサン部分を含み、複数の−ＳｉＹ官能基（式中、Ｙは加水分解性基を表す）を有する少なくとも１種のポリマーであって、前記−ＳｉＹ基は前記ポリマーの末端基及び／又は側基に含まれ、Ｓｉ原子に結合した加水分解性基Ｙの量は平均してポリマー当たり６超である、ポリマー、並びに、
（ｂ）式（Ｉ）：
ＱｎＳｉＧ４−ｎ  （Ｉ）
（式中、Ｑは、所望により置換できる炭化水素基を表し、Ｇは加水分解性基を表し、ｎは０、１又は２である）に対応する少なくとも１種の加水分解性シラン又はその加水分解生成物若しくは縮合体、
あるいは、成分（ａ）及び（ｂ）に代わって又はそれらに加えて、
（ｃ）（ｉ）前記ポリマーと、（ｉｉ）式（Ｉ）に従う前記加水分解性シラン又は式（Ｉ）に従う前記加水分解性シランの加水分解生成物若しくは縮合体と、の縮合生成物
を含む、コーティング組成物。